【手続補正書】
【提出日】平成23年2月21日(2011.2.21)
【手続補正１】
【補正対象書類名】明細書
【補正対象項目名】０１４２
【補正方法】変更
【補正の内容】
【０１４２】
図１０に示すように、セレクトドライバ１４は、時刻ｔ２０において、Ｈｉｇｈレベルのセレクト信号Ｖselect(1)をセレクトラインＬs(1)に出力し、電源ドライバ１５は、電圧VLの電圧信号Ｖsource(1)を電圧ラインＬv(1)に出力する。なお、図１１においても、便宜上、トランジスタＴ１１、Ｔ１２、Ｔ１３をスイッチとして示している。
【手続補正２】
【補正対象書類名】特許請求の範囲
【補正対象項目名】全文
【補正方法】変更
【補正の内容】
【特許請求の範囲】
【請求項１】
発光素子と駆動素子と保持容量とを有する画素であって、該画素において、前記駆動素子は電流路の一端が前記発光素子の一端に接続され、前記保持容量は前記駆動素子の制御端子と前記電流路の一端との間に接続され、前記画素を一端が前記駆動素子の前記電流路の一端に電気的に接続される信号線を介して駆動する画素駆動装置において、
前記信号線の他端に接続して、前記信号線を介して前記駆動素子の前記制御端子と前記電流路の一端間に該駆動素子の閾値電圧を超える電圧値を有する初期電圧を印加して、前記駆動素子の前記電流路に電流を流して前記保持容量に前記初期電圧に対応する電荷を蓄積した後に、前記信号線との接続を遮断する電圧印加部と、
前記電圧印加部と前記信号線との接続を遮断して、緩和時間が経過した後の前記信号線の他端の電圧を、前記駆動素子の閾値電圧として取得する閾値電圧取得部と、
前記信号線を介して、前記駆動素子の電圧−電流特性を取得する特性取得部と、
前記閾値電圧取得部が取得した前記各駆動素子の前記閾値電圧と、前記特性取得部が取得した前記電圧−電流特性と、に基づいて前記駆動素子の電流増幅率の値を取得する電流増幅率取得部と、
を備えることを特徴とする画素駆動装置。
【請求項２】
前記緩和時間は、前記保持容量に蓄積された電荷の一部が放電されて一定の電荷量に収束する時間に設定されることを特徴とする請求項１に記載の画素駆動装置。
【請求項３】
前記特性取得部は、
予め設定された電流値を有する測定用電流を出力する電流源と、
前記信号線の他端に前記電流源が接続されて、前記駆動素子の前記電流路に前記測定用電流が流れるときの前記信号線の他端の電圧を測定電圧として測定する電圧測定部と、
を備え、前記測定用電流の電流値と前記電圧測定部が測定した電圧の電圧値とに基づいて、前記駆動素子の電圧−電流特性を取得する、
ことを特徴とする請求項１又は２に記載の画素駆動装置。
【請求項４】
前記特性取得部は、
予め設定された測定電圧を出力する電圧源と、
前記信号線の他端に前記電圧源が接続されて、前記信号線の他端に前記測定電圧が印加されたときの前記信号線を介して前記駆動素子の前記電流路に流れる電流を測定電流として測定する電流測定部と、
を備え、前記測定電圧の電圧値と前記電流測定部が測定した前記測定電流の電流値とに基づいて、前記駆動素子の電圧−電流特性を取得する、
ことを特徴とする請求項１又は２に記載の画素駆動装置。
【請求項５】
前記画素駆動装置は、前記閾値電圧取得部及び前記電流増幅率取得部がそれぞれ取得した前記各駆動素子の前記閾値電圧と、前記電流増幅率と、に基づいて、外部から供給される画像データを補正した階調信号を生成する補正処理部を備える、
ことを特徴とする請求項１乃至４のいずれか１項に記載の画素駆動装置。
【請求項６】
複数の信号線と、該各信号線に接続されて配列された複数の画素と、を有し、前記各画素は、発光素子と駆動素子と保持容量とを有し、前記駆動素子の電流路の一端が前記発光素子の一端及び前記各信号線の一端に接続され、前記保持容量が前記駆動素子の制御端子と前記電流路の一端との間に接続されている画素アレイと、
前記各信号線の他端に接続して、該各信号線を介して前記駆動素子の前記制御端子と前記電流路の一端間に該駆動素子の閾値電圧を超える電圧値を有する初期電圧を印加して、前記駆動素子の前記電流路に電流を流して前記保持容量に前記初期電圧に対応する電荷を蓄積した後に、前記信号線との接続を遮断する電圧印加部と、
前記電圧印加部と前記信号線との接続を遮断して、緩和時間が経過した後の前記各信号線の他端の電圧を、前記駆動素子の閾値電圧として取得する閾値電圧取得部と、
前記各信号線を介して、前記駆動素子の電圧−電流特性を取得する特性取得部と、
前記閾値電圧取得部が取得した前記各駆動素子の前記閾値電圧と、前記特性取得部が取得した前記電圧−電流特性と、に基づいて前記各駆動素子の電流増幅率の値を取得する電流増幅率取得部と、を備えた、
ことを特徴とする発光装置。
【請求項７】
前記緩和時間は、前記保持容量に蓄積された電荷の一部が放電されて一定の電荷量に収束する時間に設定されることを特徴とする請求項６に記載の発光装置。
【請求項８】
前記特性取得部は、
予め設定された電流値を有する測定用電流を出力する電流源と、
前記各信号線の他端に前記電流源が接続されて、前記駆動素子の前記電流路に前記測定用電流が流れるときの前記各信号線の他端の電圧を測定電圧として測定する電圧測定部と、
を備え、前記測定用電流の電流値と前記電圧測定部が測定した前記測定電圧の電圧値とに基づいて、前記駆動素子の電圧−電流特性を取得する、
ことを特徴とする請求項６又は７に記載の発光装置。
【請求項９】
前記特性取得部は、
予め設定された測定電圧を出力する電圧源と、
前記各信号線の他端に前記電圧源が接続されて、前記信号線の他端に前記測定電圧が印加されたときの前記信号線を介して前記駆動素子の前記電流路に流れる電流を測定電流として測定する電流測定部と、
を備え、前記測定電圧の電圧値と前記電流測定部が測定した前記測定電流の電流値とに基づいて、前記駆動素子の電圧−電流特性を取得する、
ことを特徴とする請求項６又は７に記載の発光装置。
【請求項１０】
前記閾値電圧取得部及び前記電流増幅率取得部がそれぞれ取得した前記各駆動素子の前記閾値電圧と、前記電流増幅率と、に基づいて、外部から供給される画像データを補正した階調信号を生成する補正処理部を備える、
ことを特徴とする請求項６乃至９のいずれか１項に記載の発光装置。
【請求項１１】
複数の信号線と、該各信号線に接続されて配列された複数の画素と、を有し、前記各画素は発光素子を有し、前記駆動素子の電流路の一端が前記発光素子の一端及び前記各信号線の一端に接続されている画素アレイを備えた発光装置の駆動制御方法であって、
前記各信号線の他端に電圧印加部を接続して、前記電圧印加部より前記各信号線を介して前記駆動素子の前記電流路の両端間に該駆動素子の閾値電圧を超える初期電圧を印加して、前記駆動素子の前記電流路に電流を流して前記保持容量に前記初期電圧に対応する電荷を蓄積するステップと、
前記初期電圧を印加した後、前記各信号線と前記電圧印加部との接続を遮断するステップと、
前記電圧印加部と前記信号線との接続を遮断してから予め設定された緩和時間が経過した後の前記各信号線の他端の電圧を、前記駆動素子の閾値電圧として取得するステップと、
前記各信号線を介して、前記駆動素子の電圧−電流特性を取得するステップと、
取得した前記各駆動素子の前記閾値電圧と、前記電圧−電流特性と、に基づいて前記各駆動素子の電流増幅率を取得するステップと、を備えた、
ことを特徴とする発光装置の駆動制御方法。
【請求項１２】
前記駆動素子の閾値電圧を取得するステップにおける前記緩和時間は、前記保持容量に蓄積された電荷の一部が放電されて一定の電荷量に収束する時間に設定されることを特徴とする請求項１１に記載の発光装置の駆動制御方法。
【請求項１３】
前記駆動素子の電圧−電流特性を取得するステップは、
前記各信号線の他端に予め設定された電流値を有する測定用電流を出力する電流源を接続して、前記駆動素子の前記電流路に前記測定用電流が流れるときの、前記各信号線の他端の電圧を測定電圧として測定し、前記測定用電流の電流値と前記測定電圧の電圧値とに基づいて、前記駆動素子の電圧−電流特性を取得するステップを含む、
ことを特徴とする請求項１１又は１２に記載の発光装置の駆動制御方法。
【請求項１４】
前記駆動素子の電圧−電流特性を取得するステップは、
前記各信号線の他端に予め設定された測定電圧を出力する電圧源を接続して、前記信号線の他端に前記測定電圧が印加されたときの、前記信号線を介して前記駆動素子の前記電流路に流れる電流を測定電流として測定し、前記測定電圧の電圧値と前記測定電流の電流値とに基づいて、前記駆動素子の電圧−電流特性を取得するステップを含む、
ことを特徴とする請求項１１又は１２に記載の発光装置の駆動制御方法。
【請求項１５】
前記各駆動素子の前記閾値電圧と、前記駆電流増幅率と、に基づいて、外部から供給される画像データを補正した階調信号を生成するステップを含む、
ことを特徴とする請求項１１乃至１４のいずれか１項に記載の発光装置の駆動制御方法。
【手続補正３】
【補正対象書類名】図面
【補正対象項目名】図４
【補正方法】変更
【補正の内容】
【図４】
2010237581.tif 000001
【手続補正４】
【補正対象書類名】図面
【補正対象項目名】図９
【補正方法】変更
【補正の内容】
【図９】
2010237581.tif 000002
【手続補正５】
【補正対象書類名】図面
【補正対象項目名】図１２
【補正方法】変更
【補正の内容】
【図１２】
2010237581.tif 000003
【手続補正６】
【補正対象書類名】図面
【補正対象項目名】図１３
【補正方法】変更
【補正の内容】
【図１３】
2010237581.tif 000004